(57)【要約】【課題】ＩＥＥＥ１３９４シリアルバスに接続される録画装置において、自装置が録画対象となる番組のチャンネルの周波数帯域に対応可能なチューナーを内蔵していない場合でも、その番組を録画することができるようにする。【解決手段】ＶＴＲ内部のチューナーで対応可能な周波数帯域のチャンネルではなく、外部機器に内蔵されたチューナーで対応可能な周波数帯域のチャンネルが選択されたときは（Ｓ２でＮＯ）、該当の外部機器に対してチャンネル変更用の制御コマンドを送信すると共に（Ｓ６）、自装置の録画再生部への放送信号の入力ラインを外部機器からの入力ラインに切り替えて（Ｓ７）、外部機器から入力された放送信号をＩＥＥＥ１３９４シリアルバスを介して自装置の録画再生部で録画するようにした（Ｓ８）。【選択図】      図４
2005026984.tif 000002
【特許請求の範囲】
【請求項１】
放送信号を受信するアンテナと接続され、
ＩＥＥＥ１３９４シリアルバスを介してチューナーを内蔵した他の装置と接続されて、
録画対象となる番組のチャンネルを選択するためのチャンネル選択手段と、
前記アンテナで受信した放送信号の中から前記チャンネル選択手段によって選択されたチャンネルの放送信号を抽出する装置内蔵チューナーと、
前記チャンネル選択手段によって選択されたチャンネルの放送信号を映像信号や音声信号等に分離して復号するデコーダーと、
前記デコーダーによって復号された映像信号や音声信号等を記録する録画手段と、
前記チューナーを内蔵した他の装置との間で前記ＩＥＥＥ１３９４シリアルバスを介してデータを送受信するためのＩＥＥＥ１３９４インタフェースと、
前記チャンネル選択手段、前記装置内蔵チューナー、前記デコーダー、前記録画手段及び前記ＩＥＥＥ１３９４インタフェースを含む装置各部の動作を制御する制御手段とを備えたＩＥＥＥ１３９４シリアルバスに接続される録画装置において、
前記装置内蔵チューナーから前記デコーダーを経て前記録画手段に到る放送信号の入力ラインと、前記他の装置から前記録画手段に到る放送信号の入力ラインとの切り替えを行うための入力ライン切替手段と、
前記装置内蔵チューナーで対応可能な周波数帯域のチャンネル、及び前記他の装置に内蔵されたチューナーで対応可能な周波数帯域のチャンネルを記憶するチャンネル記憶手段とをさらに備え、
前記チャンネル選択手段は、前記チャンネル記憶手段に記憶された各チャンネルを選択可能であり、
前記制御手段は、
前記チャンネル選択手段によって、前記装置内蔵チューナーで対応可能な周波数帯域のチャンネルが選択されたときは、前記入力ライン切替手段によって、前記録画手段への放送信号の入力ラインを前記装置内蔵チューナーから前記デコーダーを経て前記録画手段に到る入力ラインに切り替えて、前記装置内蔵チューナーで抽出された放送信号を前記デコーダーで復号して前記録画手段で録画し、
前記チャンネル選択手段によって、前記装置内蔵チューナーで対応可能な周波数帯域のチャンネルではなく、前記他の装置に内蔵されたチューナーで対応可能な周波数帯域のチャンネルが選択されたときは、前記他の装置に対してチャンネル変更用の制御コマンドを送信すると共に、前記入力ライン切替手段によって、前記録画手段への放送信号の入力ラインを前記他の装置から前記録画手段に到る入力ラインに切り替えて、前記他の装置から入力された映像信号や音声信号等を前記ＩＥＥＥ１３９４インタフェースと前記ＩＥＥＥ１３９４シリアルバスとを介して前記録画手段で記録するようにしたことを特徴とするＩＥＥＥ１３９４シリアルバスに接続される録画装置。
【請求項２】
放送信号を受信するアンテナと接続され、
バスを介してチューナーを内蔵した他の装置と接続されて、
記録対象となる番組のチャンネルを選択するためのチャンネル選択手段と、
前記チャンネル選択手段によって選択されたチャンネルの放送信号を復号するデコーダーと、
前記デコーダーによって復号された信号を記録する記録手段と、
前記チューナーを内蔵した他の装置との間で前記バスを介してデータを送受信するためのインタフェース部と、
前記チャンネル選択手段、前記装置内蔵チューナー、前記デコーダー、前記録画手段及び前記インタフェース部を含む装置各部の動作を制御する制御手段とを備えたバスに接続される記録装置において、
前記チャンネル選択手段は、前記他の装置に内蔵されたチューナーで対応可能な周波数帯域のチャンネルを選択可能であり、
前記制御手段は、
前記チャンネル選択手段によって、前記他の装置に内蔵されたチューナーで対応可能な周波数帯域のチャンネルが選択されたときに、前記他の装置に対してチャンネル変更用の制御コマンドを送信すると共に、前記インタフェース部と前記バスとを介して、前記他の装置から入力された信号を前記記録手段で記録するようにしたことを特徴とするバスに接続される記録装置。
【請求項３】
前記記録手段は映像信号を含む信号を記録する請求項２に記載のバスに接続される記録装置。
【請求項４】
前記バスはＩＥＥＥ１３９４シリアルバスである請求項２又は請求項３に記載のバスに接続される記録装置。
【発明の詳細な説明】
【０００１】
【発明の属する技術分野】
本発明は、バスに接続される記録装置に係り、特に、ＩＥＥＥ１３９４シリアルバスに接続されるディジタルＶＴＲ（Ｖｉｄｅｏ  Ｔａｐｅ  Ｒｅｃｏｒｄｅｒ）、ＤＶＤ（Ｄｉｇｉｔａｌ  Ｖｅｒｓａｔｉｌｅ  Ｄｉｓｃ）等の録画装置に関する。
【０００２】
【従来の技術】
従来、バスに接続される録画装置において、自装置の内蔵チューナーで選局した、あるチャンネルの放送をモニタ上に再生しながら、バスを介して接続された他の装置のチューナーで選局した別のチャンネルの放送を録画することができるようにしたものが知られている（例えば、特許文献１参照）。また、衛星信号受信装置の分野において、屋内装置部分と屋外装置部分との間の信号伝送をシリアルバスを用いて行えるようにすることを目的として、複数の衛星からの放送信号を抽出可能なチューナー部を、デコーダー部から切り離して屋外に配置するようにしたものが知られている（例えば、特許文献２参照）。
【０００３】
【特許文献１】
特開２００１−２８５７２９号公報（第７−１１頁、図５−９）
【特許文献２】
特開平１１−４１５３３号公報（第５−８頁、図５−１２）
【０００４】
【発明が解決しようとする課題】
しかしながら、上記特許文献１に記載された従来の録画装置では、自装置の内蔵チューナーで対応不可能な周波数帯域の番組を録画することができないという問題があった。また、上記特許文献２に記載された衛星信号受信装置の発明では、チューナー部によって抽出可能な放送信号が同一の種類の衛星からの放送信号に限られるので、この発明を録画装置に適用したとしても、上記の問題を解決することはできない。
【０００５】
本発明は、上記の問題を解決するためになされたものであり、自装置が録画対象となる番組のチャンネルの周波数帯域に対応可能なチューナーを内蔵していない場合でも、その番組を録画することが可能なＩＥＥＥ１３９４シリアルバスに接続される録画装置を提供することを目的とする。
【０００６】
【課題を解決するための手段】
上記目的を達成するために請求項１の発明は、放送信号を受信するアンテナと接続され、ＩＥＥＥ１３９４シリアルバスを介してチューナーを内蔵した他の装置と接続されて、録画対象となる番組のチャンネルを選択するためのチャンネル選択手段と、アンテナで受信した放送信号の中からチャンネル選択手段によって選択されたチャンネルの放送信号を抽出する装置内蔵チューナーと、チャンネル選択手段によって選択されたチャンネルの放送信号を映像信号や音声信号等に分離して復号するデコーダーと、デコーダーによって復号された映像信号や音声信号等を記録する録画手段と、チューナーを内蔵した他の装置との間でＩＥＥＥ１３９４シリアルバスを介してデータを送受信するためのＩＥＥＥ１３９４インタフェースと、チャンネル選択手段、装置内蔵チューナー、デコーダー、録画手段及びＩＥＥＥ１３９４インタフェースを含む装置各部の動作を制御する制御手段とを備えたＩＥＥＥ１３９４シリアルバスに接続される録画装置において、装置内蔵チューナーからデコーダーを経て録画手段に到る放送信号の入力ラインと、他の装置から録画手段に到る放送信号の入力ラインとの切り替えを行うための入力ライン切替手段と、装置内蔵チューナーで対応可能な周波数帯域のチャンネル、及び他の装置に内蔵されたチューナーで対応可能な周波数帯域のチャンネルを記憶するチャンネル記憶手段とをさらに備え、チャンネル選択手段は、チャンネル記憶手段に記憶された各チャンネルを選択可能であり、制御手段は、チャンネル選択手段によって、装置内蔵チューナーで対応可能な周波数帯域のチャンネルが選択されたときは、入力ライン切替手段によって、録画手段への放送信号の入力ラインを装置内蔵チューナーからデコーダーを経て録画手段に到る入力ラインに切り替えて、装置内蔵チューナーで抽出された放送信号をデコーダーで復号して録画手段で録画し、チャンネル選択手段によって、装置内蔵チューナーで対応可能な周波数帯域のチャンネルではなく、他の装置に内蔵されたチューナーで対応可能な周波数帯域のチャンネルが選択されたときは、他の装置に対してチャンネル変更用の制御コマンドを送信すると共に、入力ライン切替手段によって、録画手段への放送信号の入力ラインを他の装置から録画手段に到る入力ラインに切り替えて、他の装置から入力された映像信号や音声信号等をＩＥＥＥ１３９４インタフェースとＩＥＥＥ１３９４シリアルバスとを介して録画手段で記録するようにしたものである。
【０００７】
上記構成においては、チャンネル選択手段によって、装置内蔵チューナーで対応可能な周波数帯域のチャンネルではなく、他の装置に内蔵されたチューナーで対応可能な周波数帯域のチャンネルが選択されたときは、制御手段が、他の装置に対してチャンネル変更用の制御コマンドを送信すると共に、入力ライン切替手段によって自装置の録画手段への放送信号の入力ラインを他の装置からの入力ラインに切り替えて、他の装置から入力された映像信号や音声信号等をＩＥＥＥ１３９４インタフェースとＩＥＥＥ１３９４シリアルバスとを介して録画手段で記録する。これにより、自装置の装置内蔵チューナーが、録画対象となる番組のチャンネルの周波数帯域に対応不可能な場合でも、他の装置に内蔵されたチューナーが、その番組のチャンネルの周波数帯域に対応可能な場合には、該当の番組を自装置側で録画することができる。
【０００８】
また、請求項２の発明は、放送信号を受信するアンテナと接続され、バスを介してチューナーを内蔵した他の装置と接続されて、録画対象となる番組のチャンネルを選択するためのチャンネル選択手段と、チャンネル選択手段によって選択されたチャンネルの放送信号を復号するデコーダーと、デコーダーによって復号された信号を記録する記録手段と、チューナーを内蔵した他の装置との間で前記バスを介してデータを送受信するためのインタフェース部と、チャンネル選択手段、装置内蔵チューナー、デコーダー、録画手段及びインタフェース部を含む装置各部の動作を制御する制御手段とを備えたバスに接続される記録装置において、チャンネル選択手段は、他の装置に内蔵されたチューナーで対応可能な周波数帯域のチャンネルを選択可能であり、制御手段は、チャンネル選択手段によって、他の装置に内蔵されたチューナーで対応可能な周波数帯域のチャンネルが選択されたときに、他の装置に対してチャンネル変更用の制御コマンドを送信すると共に、インタフェース部とバスとを介して、他の装置から入力された信号を記録手段で記録するようにしたものである。
【０００９】
この構成においては、チャンネル選択手段によって、他の装置に内蔵されたチューナーで対応可能な周波数帯域のチャンネルが選択されたときに、制御手段は、他の装置に対してチャンネル変更用の制御コマンドを送信すると共に、インタフェース部とバスとを介して、他の装置から入力された信号を自装置の記録手段で記録する。これにより、自装置が記録対象となる番組のチャンネルの周波数帯域に対応可能なチューナーを内蔵していない場合でも、他の装置に内蔵されたチューナーが、その番組のチャンネルの周波数帯域に対応可能な場合には、該当の番組を自装置の記録手段で記録することができる。
【００１０】
また、請求項３の発明は、請求項２の発明において、記録手段が映像信号を含む信号を記録するものである。この構成においては、自装置が記録対象となる番組のチャンネルの周波数帯域に対応可能なチューナーを内蔵していない場合でも、他の装置に内蔵されたチューナーが、その番組のチャンネルの周波数帯域に対応可能な場合には、該当の番組を映像も含めて自装置の記録手段で記録することができる。
【００１１】
また、請求項４の発明は、請求項２又は請求項３の発明において、上記のバスがＩＥＥＥ１３９４シリアルバスであるものである。この構成においては、ＩＥＥＥ１３９４シリアルバスに接続される記録装置において、上記請求項２又は請求項３と同様な作用を得ることができる。
【００１２】
【発明の実施の形態】
以下、本発明を具体化した実施形態について図面を参照して説明する。本実施形態によるＩＥＥＥ１３９４シリアルバス（以下、バスと略す）に接続される録画装置は、ＢＳ（Ｂｒｏａｄｃａｓｔｉｎｇ  Ｓａｔｅｌｌｉｔｅ）放送対応のチューナーを内蔵したＶＴＲ（Ｖｉｄｅｏ  Ｔａｐｅ  Ｒｅｃｏｒｄｅｒ）であり、ＣＳ（Ｃｏｍｍｕｎｉｃａｔｉｏｎｓ  Ｓａｔｅｌｌｉｔｅ）放送対応のチューナーを内蔵した他のＶＴＲとバスを介して接続されている。
【００１３】
図１は、本実施形態による録画装置であるＶＴＲ、及びこのＶＴＲとバスを介して接続される他のＶＴＲの電気的ブロック構成を示す。このＶＴＲ１は、装置全体の制御を行うＣＰＵ１１（制御手段）を有している。ＣＰＵ１１は、内部バス２２を介して装置内蔵のチューナー１２、復調部１３、デコーダー１４、ＩＥＥＥ１３９４インタフェース（以下、インタフェースと略す）１６、入力切替スイッチ１８（入力ライン切替手段）、録画再生部１９、メモリ２３及び表示部２６と接続されている。
【００１４】
上記のチューナー１２は、ＵＨＦ（ＵｌｔｒａＨｉｇｈ  Ｆｒｅｑｕｅｎｃｙ）放送、ＶＨＦ（Ｖｅｒｙ  Ｈｉｇｈ  Ｆｒｅｑｕｅｎｃｙ）放送及びＢＳ放送の周波数帯域に対応可能であり、アンテナ４で受信した放送信号の中からユーザにより選択されたチャンネルの放送信号を抽出する。復調部１３は、チューナー１２で抽出された放送信号に対して放送方式に応じた復調を行う。デコーダー１４は、復調部１３により復調処理がなされた放送信号を映像信号や音声信号等に分離して復号する。インタフェース１６は、ＶＴＲ２との間でバスケーブル５を介してデータを送受信する。入力切替スイッチ１８は、装置内蔵のチューナー１２からデコーダー１４を経て録画再生部１９に到る放送信号の入力ライン１５と、他のＶＴＲ２からＶＴＲ１の録画再生部１９に到る放送信号の入力ライン１７との切り替えを行うためのものである。録画再生部１９は、デコーダー１４によって復号された映像信号や音声信号等をビデオ・テープに記録すると共に、ビデオ・テープに記録された映像信号や音声信号等を再生する。メモリ２３は、上記の装置内蔵のチューナー１２で対応可能な周波数帯域のチャンネル、及び他のＶＴＲ２に内蔵されたチューナーで対応可能な周波数帯域のチャンネルを記憶するチャンネル情報テーブル（図３参照）を含む各種のデータを格納している。表示部２６は、チャンネル情報テーブルに記憶されているチャネル等の各種情報を表示する。また、ＣＰＵ１１は、リモコン装置２５（チャンネル選択手段）からの操作信号を受信するリモコン受信部２４と接続されている。
【００１５】
上記のＶＴＲ１には、デコーダー１４によって復号された映像信号及び音声信号を外部の装置に出力するための映像・音声出力端子２０が設けられており、また、バスケーブル５を接続するためのポート２７が設けられている。
【００１６】
また、上記のＶＴＲ２も、ＶＴＲ１と同様に、ＣＰＵ３１、チューナー３２、復調部３３、デコーダー３４、ＩＥＥＥ１３９４インタフェース（以下、インタフェースと略す）３６、録画再生部３９、メモリ４３、リモコン受信部４４及び表示部４６を有しているが、ＶＴＲ１と異なり、録画再生部３９に到る放送信号の入力ラインを切り替えるための入力切替スイッチを有しておらず、バスケーブル５を介して接続された他の接続機器から入力された映像信号や音声信号を録画再生部３９によって録画することができない。また、メモリ４３内には、ＶＴＲ１側のメモリ２３に格納されているようなチャンネル情報テーブル（図３参照）が格納されていない。
【００１７】
図２は、上記のＶＴＲ１側のメモリ２３内に格納されている各種のデータを示す。メモリ２３内には、バス上の各接続機器間の情報交換に使用されるレジスタ空間５１が格納されている。このレジスタ空間５１は、ノードの制御に用いられるＣＳＲ（Ｃｏｎｔｒｏｌ  ａｎｄ  Ｓｔａｔｕｓ  Ｒｅｇｉｓｔｅｒｓ）コア５２と、バスの管理用のレジスタであるシリアルバス依存レジスタ５３と、自機の性能に関する情報等を記憶したコンフィグレーションＲＯＭ５４と、各機器固有のレジスタであるユニットレジスタ５５とから構成されている。また、メモリ２３内には、装置内蔵のチューナー１２で対応可能な周波数帯域のチャンネル、及び他のＶＴＲ２に内蔵されたチューナーで対応可能な周波数帯域のチャンネルを記憶するチャンネル情報テーブル５６が格納されている。このチャンネル情報テーブル５６は、請求項におけるチャンネル記憶手段に相当する。さらにまた、メモリ２３内には、ノードの制御を行うノードコントローラ５７、上記のチャンネル情報テーブル５６を作成するためのテーブル作成プログラム５８、及び録画対象となる番組のチャンネルを選択するためのチャンネル選択プログラム５９が格納されている。
【００１８】
図３は、上記のチャンネル情報テーブル５６に記憶されているチャンネル情報の例を示す。図に示される例は、チューナーを有する接続機器として、上記のＶＴＲ１、２に加えてＴＶとＶＴＲ３とがバスに接続されている場合における各接続機器毎のチャンネル情報６０の例である。各接続機器のチャンネル情報６０は、ＶＨＦチャンネル情報６１、ＵＨＦチャンネル情報６２、ＢＳチャンネル情報６３及びＣＳチャンネル情報６４の少なくともいずれかからなる。この例では、ＶＴＲ１側のチューナー１２で対応可能な周波数帯域のチャンネルは、ＶＨＦ１〜１２、ＵＨＦ１３〜ＵＨＦ６２、及びＢＳ１，３，５，７，９，１１，１３，１５である。また、ＶＴＲ２側のチューナー３２で対応可能な周波数帯域のチャンネルは、ＶＨＦ１〜１２、ＵＨＦ１３〜ＵＨＦ６２、及びＣＳ１〜９９であり、ＴＶのチューナーで対応可能な周波数帯域のチャンネルは、ＶＨＦ１〜１２、及びＵＨＦ１３〜ＵＨＦ６２である。さらにまた、ＶＴＲ３側のチューナーで対応可能な周波数帯域のチャンネルは、ＶＴＲ２側のチューナー３２で対応可能な周波数帯域のチャンネルと同じである。
【００１９】
次に、ＶＴＲ１側における録画時のチャンネル選択処理について図４のフローチャートを参照して説明する。このチャンネル選択処理は、上記図２中のチャンネル選択プログラム５９の内容に対応したものであり、ＶＴＲ１側のＣＰＵ１１が、録画時にチャンネル選択プログラム５９の指示に応じて行うものである。ユーザがリモコン装置２５を用いて録画対象となる番組のチャンネルの選択を要求すると、ＣＰＵ１１は、メモリ２３内のチャンネル情報テーブル５６を読み込んで、ＶＴＲ１側のチューナー１２で対応可能な周波数帯域のチャンネルと、他の接続機器のチューナーで対応可能な周波数帯域のチャンネルを表示部２６上に一覧表示する。そして、ユーザがリモコン装置２５を用いて、表示部２６上に表示されたチャンネルの中から録画対象となる番組のチャンネルの選択入力を行うと、ＣＰＵ１１は、選択入力されたチャンネルの情報を取得して（Ｓ１）、このチャンネルの情報とチャンネル情報テーブル５６に記憶されている各接続機器毎のチャンネル情報６０（図３参照）とに基づいて、選択されたチャンネルの放送信号を操作対象のＶＴＲ１内部のチューナー１２で抽出することができるか否かを判定する（Ｓ２）。この結果、ＶＴＲ１内部のチューナー１２で抽出することができる場合には（Ｓ２でＹＥＳ）、ＣＰＵ１１は、ＶＴＲ１内部のチューナー１２に対して、チャンネル変更処理を実行する（Ｓ３）。
【００２０】
これに対して、選択されたチャンネルの放送信号をＶＴＲ１内部のチューナー１２で抽出することができない場合には（Ｓ２でＮＯ）、ＣＰＵ１１は、選択されたチャンネルの放送信号を抽出可能なチューナーを持つ外部機器に対して、バスを介して状態確認用のコマンドを送信する。例えば、ユーザにより選択されたチャンネルがＣＳ１の場合には、ＶＴＲ１内部のチューナー１２では対応できないので、この場合には、ＣＰＵ１１は、ＣＳ１の放送信号を抽出可能なチューナーを持つＶＴＲ２に対して、状態確認用のコマンドを送信する（Ｓ４）。そして、状態確認用のコマンドの送信先の外部機器（ＶＴＲ２等）から使用可能である旨のメッセージが返送された場合には（Ｓ５でＹＥＳ）、この外部機器に対してチャンネル変更用のコマンドを送信すると共に（Ｓ６）、ＶＴＲ１側の録画再生部１９への放送信号の入力ラインを外部機器からの入力ラインに切り替える（Ｓ７）。例えば、使用可能である旨のメッセージを返送した外部機器がＶＴＲ２の場合には、ＣＰＵ１１は、ＶＴＲ２に対してチャンネル変更用のコマンドを送信すると共に、ＶＴＲ１側の録画再生部１９への放送信号の入力ラインを図１に示されるＶＴＲ２からの入力ライン１７に切り替える。そして、ＣＰＵ１１は、ＶＴＲ２等の外部機器から入力された映像信号や音声信号をインタフェース１６とバスとを介して録画再生部１９で記録する（Ｓ８）。
【００２１】
これに対して、状態確認用のコマンドの送信先の外部機器から使用不可能である旨のメッセージが返送された場合には（Ｓ５でＮＯ）、ＣＰＵ１１は、選択されたチャンネルの放送信号に対応可能なチューナーを持つ他の外部機器に対して、バスを介して状態確認用のコマンドを送信する（Ｓ９）。例えば、ユーザにより選択されたチャンネルがＣＳ１で、ＶＴＲ２が既に録画予約されている等の理由により使用不可能である場合には、ＶＴＲ２から使用不可能である旨のメッセージが返送されるので、ＣＰＵ１１は、このメッセージを受信すると、図３に示されるＣＳ１のチャンネルの放送信号に対応可能なチューナーを持つＶＴＲ３に対して、状態確認用のコマンドを送信する。そして、この状態確認用のコマンドの送信先の外部機器（ＶＴＲ３等）から使用可能である旨のメッセージが返送された場合には（Ｓ１０でＹＥＳ）、この外部機器に対して上記Ｓ６乃至Ｓ８の処理を行う。また、全ての状態確認用のコマンドの送信先の外部機器から使用不可能である旨のメッセージが返送された場合には（Ｓ１０でＮＯ）、ＣＰＵ１１は、その旨のメッセージを表示部２６上に出力表示する（Ｓ１１）。
【００２２】
上記のように、ＶＴＲ１側のチューナー１２で対応可能な周波数帯域のチャンネルのみならず、ＶＴＲ２等の他の接続機器に内蔵されたチューナーで対応可能な周波数帯域のチャンネルを選択可能とし、他の接続機器のチューナーで対応可能な周波数帯域のチャンネルが選択されたときは、ＶＴＲ１側の録画再生部１９への放送信号の入力ラインを他の接続機器からの入力ラインに切り替えて、他の接続機器から入力された映像信号や音声信号等を録画再生部１９で記録するようにした。これにより、ＶＴＲ１側のチューナー１２が、録画対象となる番組のチャンネルの周波数帯域に対応不可能な場合でも、ＶＴＲ２等の他の接続機器に内蔵されたチューナーが、その番組のチャンネルの周波数帯域に対応可能な場合には、該当の番組をＶＴＲ１側で録画することができる。
【００２３】
なお、本発明は、上記実施形態に限られるものではなく、様々な変形が可能である。例えば、本実施形態では、バスに接続される録画装置であるＶＴＲ１が所定の種類の放送信号に対応可能なチューナーを内蔵している場合の例を示したが、チューナーを内蔵していなくても構わない。また、上記実施形態では、ＶＴＲ１が他の接続機器のチューナーで対応可能な周波数帯域のチャンネルに関する情報を含むチャンネル情報テーブル５６を記憶しておいて、このテーブル５６内のチャンネル情報６０に基づいて、ユーザーにより選択されたチャンネルに対応可能なチューナーを持つ接続機器を判定するようにしたが、ユーザーによりＶＴＲ内部のチューナーで対応不可能なチャンネルが選択された場合に、その都度、各接続機器内のレジスタ空間に格納された情報に基づいて、対応可能なチューナーを持つ接続機器を判定するようにしてもよい。
【００２４】
また、上記実施形態では、バスに接続される録画装置がＩＥＥＥ１３９４シリアルバスに接続される録画装置である場合の例を示したが、本発明が適用可能な録画装置は、これに限らず、例えば、ＵＳＢ（Ｕｎｉｖｅｒｓａｌ  Ｓｅｒｉａｌ  Ｂｕｓ）等のＩＥＥＥ１３９４シリアルバス以外のシリアルバスに接続可能な録画装置であってもよい。また、バスに接続される録画装置の種類は、ＶＴＲに限らず、ＤＶＤ（Ｄｉｇｉｔａｌ  Ｖｅｒｓａｔｉｌｅ  Ｄｉｓｃ）等の他の種類の録画装置であってもよい。
【００２５】
【発明の効果】
以上説明したように請求項１の発明によれば、装置内蔵チューナーで対応可能な周波数帯域のチャンネルのみならず、他の装置に内蔵されたチューナーで対応可能な周波数帯域のチャンネルを選択可能とし、他の装置に内蔵されたチューナーで対応可能な周波数帯域のチャンネルが選択されたときは、放送信号の入力ラインを他の装置からの入力ラインに切り替えて、他の装置から入力された映像信号や音声信号等を記録するようにした。これにより、自装置の装置内蔵チューナーが、録画対象となる番組のチャンネルの周波数帯域に対応不可能な場合でも、他の装置に内蔵されたチューナーが、その番組のチャンネルの周波数帯域に対応可能な場合には、該当の番組を自装置側で録画することができる。
【００２６】
また、請求項２の発明によれば、他の装置に内蔵されたチューナーで対応可能な周波数帯域のチャンネルを選択可能とし、これらのチャンネルが選択されたときに、インタフェース部とバスとを介して、他の装置から入力された信号を自装置の記録手段で記録するようにした。これにより、自装置が記録対象となる番組のチャンネルの周波数帯域に対応可能なチューナーを内蔵していない場合でも、他の装置に内蔵されたチューナーが、その番組のチャンネルの周波数帯域に対応可能な場合には、該当の番組を自装置側で記録することができる。
【００２７】
また、請求項３の発明によれば、映像信号を含む信号を記録するようにしたことにより、自装置が記録対象となる番組のチャンネルの周波数帯域に対応可能なチューナーを内蔵していない場合でも、他の装置に内蔵されたチューナーが、その番組のチャンネルの周波数帯域に対応可能な場合には、該当の番組を映像も含めて自装置側で記録することができる。
【００２８】
また、請求項４の発明によれば、バスをＩＥＥＥ１３９４シリアルバスとしたことにより、ＩＥＥＥ１３９４シリアルバスに接続される記録装置において、上記請求項２又は請求項３に記載の効果を的確に得ることができる。
【図面の簡単な説明】
【図１】本発明の一実施形態に係る録画装置であるＶＴＲとこのＶＴＲに接続される他のＶＴＲの電気的ブロック構成を示す図。
【図２】上記ＶＴＲのメモリ内に格納されているデータを示す図。
【図３】上記メモリ内のチャンネル情報テーブルに記憶されているチャンネル情報の例を示す図。
【図４】上記ＶＴＲにおける録画時のチャンネル選択処理を示すフローチャート。
【符号の説明】
１      ＶＴＲ（ＩＥＥＥ１３９４シリアルバスに接続される録画装置、バスに接続される記録装置）
２      ＶＴＲ（チューナーを内蔵した他の装置）
４      アンテナ
１１    ＣＰＵ（制御手段）
１２    チューナー（装置内蔵チューナー）
１４    デコーダー
１５    入力ライン（装置内蔵チューナーからデコーダーを経て録画手段に到る放送信号の入力ライン）
１６    ＩＥＥＥ１３９４インタフェース（インタフェース部）
１７    入力ライン（他の装置から録画手段に到る放送信号の入力ライン）
１８    入力切替スイッチ（入力ライン切替手段）
１９    録画再生部（録画手段）
２５    リモコン装置（チャンネル選択手段）
５６    チャンネル情報テーブル（チャンネル記憶手段）
【図１】
2005026984.tif 000003
【図２】
2005026984.tif 000004
【図３】
2005026984.tif 000005
【図４】
2005026984.tif 000006